(57)【特許請求の範囲】
【請求項１】
Ｘ線を照射するＸ線源を備える移動型Ｘ線撮影装置において、
少なくとも、Ｘ線検出器と前記Ｘ線源との間で信号の送受信を行うためのインターフェースユニットと、前記Ｘ線検出器を用いた撮影を制御するコンピューターユニットとを内蔵し、前記Ｘ線源に供給する電圧を発生させる電圧発生部とは分離されているボックスを有しており、
前記ボックスは、上部に吸気口、下部に排気口を有し、それら以外は密閉状態とされていることを特徴とする移動型Ｘ線撮影装置。
【請求項２】
前記ボックスは、当該ボックス内部を上部空間および下部空間に仕切る仕切り板を備えており、
前記仕切り板は、前記吸気口から流入した空気が前記上部空間から前記下部空間に流通することができるように構成されており、
前記インターフェースユニットは前記仕切り板の上側に、前記コンピューターユニットは前記仕切り板の下側に配置されていることを特徴とする請求項１に記載の移動型Ｘ線撮影装置。
【請求項３】
前記仕切り板の、前記吸気口から最も離れた部分に、前記吸気口から流入した空気の前記上部空間から前記下部空間への流通を可能とする流路が設けられていることを特徴とする請求項２に記載の移動型Ｘ線撮影装置。
【請求項４】
前記仕切り板の、前記吸気口から最も離れた部分より前記吸気口に近い部分にも、前記吸気口から流入した空気の前記上部空間から前記下部空間への流通を可能とする流路が設けられていることを特徴とする請求項３に記載の移動型Ｘ線撮影装置。
【請求項５】
前記ボックスは、装置本体部に対して着脱可能とされていることを特徴とする請求項１から請求項４のいずれか一項に記載の移動型Ｘ線撮影装置。
【請求項６】
前記排気口に、前記ボックス内の空気を排気するための排気ファンが取り付けられていることを特徴とする請求項１から請求項５のいずれか一項に記載の移動型Ｘ線撮影装置。
【請求項７】
前記ボックスに、前記Ｘ線検出器と前記コンピューターユニットとの間の無線通信を可能とするアクセスポイントが設けられていることを特徴とする請求項１から請求項６のいずれか一項に記載の移動型Ｘ線撮影装置。
【請求項８】
前記ボックスは、前記Ｘ線検出器を充電するための充電ユニットを備えることを特徴とする請求項１から請求項７のいずれか一項に記載の移動型Ｘ線撮影装置。
【請求項９】
Ｘ線を照射するＸ線源を備える移動型Ｘ線撮影装置に装填されるボックスにおいて、
少なくとも、Ｘ線検出器と前記Ｘ線源との間で信号の送受信を行うためのインターフェースユニットと、前記Ｘ線検出器を用いた撮影を制御するコンピューターユニットとを内蔵し、
前記Ｘ線源に供給する電圧を発生させる電圧発生部とは分離されており、
上部に吸気口、下部に排気口を有し、それら以外は密閉状態とされていることを特徴とするボックス。
【発明の詳細な説明】
【技術分野】
【０００１】
本発明は、移動型Ｘ線撮影装置およびボックスに係り、特にコンピューター等を搭載して病室等に搬送可能な移動型Ｘ線撮影装置およびボックスに関する。
【背景技術】
【０００２】
Ｘ線撮影の分野では、近年、Ｘ線源から照射され被写体を透過したＸ線に応じて電気信号を発生させる変換素子が二次元状に配列されたＸ線検出器（Flat Panel Detector）が種々開発されており、病院等の医療現場でＸ線画像の撮影に用いられるようになっている。また、近年、変換素子等が形成されたセンサーパネル等を筐体内に収納し、持ち運び可能とした可搬型のＸ線検出器が開発され、実用化されている。
【０００３】
一方、Ｘ線撮影を病室等で行うような場合、Ｘ線源やＸ線源に高電圧を供給する電圧発生部等を回診車等に搭載して移動可能とした移動型Ｘ線撮影装置を病室等に持ち込み、移動型Ｘ線撮影装置のＸ線源から被写体である患者等にＸ線を照射してＸ線撮影を行う場合がある。
【０００４】
そして、可搬型のＸ線検出器は、患者の身体に直接あてがったり、或いは患者とベッド等との間に差し込んで撮影に用いることができる。そして、例えば特許文献１では、Ｘ線検出器が患者の身体に接触させる際に、Ｘ線検出器の温度が低いと患者が不快な思いをする場合がある。そこで、暖気運転中の移動型のＸ線装置の本体部内に空気を取り込み、本体部内の電圧発生部等の発熱体の熱で空気を温め、その温めた空気で、移動型のＸ線装置に搭載されたＸ線検出器を適度に温めたり保温したりするように構成された移動型のＸ線装置が記載されている。
【先行技術文献】
【特許文献】
【０００５】
【特許文献１】特開２０１４−０１４７４６５号公報
【発明の概要】
【発明が解決しようとする課題】
【０００６】
ところで、移動型Ｘ線撮影装置に、例えばコンソール等のコンピューターユニット等を搭載するように構成すれば、このような移動型Ｘ線撮影装置を病室等に持ち込むことで、従来から病院等の施設の撮影室等で行われていた、放射線技師等の操作者がコンソールを操作してＸ線検出器等の各機器を制御しながら行う本格的な撮影を病室等でも行うことができるようになる。
【０００７】
しかし、このように移動型Ｘ線撮影装置にコンピューターユニット等を搭載すると、コンピューターユニットが、移動型Ｘ線撮影装置の発熱源である電圧発生部やモーター等の近傍に配置されることになるが、よく知られているように、コンピューターは高温環境に適さない。また、Ｘ線検出器と移動型Ｘ線撮影装置のＸ線源との間で信号等の送受信を行い、同期を取りながらＸ線撮影が行われる場合があるが、それらの間の送受信を受け持つインターフェースユニット等も、一般的に高温環境には適さない。
【０００８】
本発明は、上記の問題点を鑑みてなされたものであり、搭載される、高温環境に適さないデバイスを、電圧発生部等の発熱源の熱による温度上昇から守り、適切な温度環境下で動作させることが可能な移動型Ｘ線撮影装置およびそれらのデバイスを内蔵するボックスを提供することを目的とする。
【課題を解決するための手段】
【０００９】
前記の問題を解決するために、本発明の移動型Ｘ線撮影装置およびボックスは、
Ｘ線を照射するＸ線源を備える移動型Ｘ線撮影装置において、
少なくとも、Ｘ線検出器と前記Ｘ線源との間で信号の送受信を行うためのインターフェースユニットと、前記Ｘ線検出器を用いた撮影を制御するコンピューターユニットとを内蔵し、前記Ｘ線源に供給する電圧を発生させる電圧発生部とは分離されているボックスを有しており、
前記ボックスは、上部に吸気口、下部に排気口を有し、それら以外は密閉状態とされていることを特徴とする。
【発明の効果】
【００１０】
本発明のような方式の移動型Ｘ線撮影装置およびボックスによれば、移動型Ｘ線撮影装置に搭載される、高温環境に適さないデバイスを、電圧発生部等の発熱源の熱による温度上昇から守り、適切な温度環境下で的確に動作させることが可能となる。
【図面の簡単な説明】
【００１１】
【図１】本実施形態に係る移動型Ｘ線撮影装置の外観を示す斜視図である。
【図２】ケーブル先端のコネクターをＸ線検出器のコネクターに接続した状態を表す斜視図である。
【図３】ボックスの構成を説明するための図である。
【発明を実施するための形態】
【００１２】
以下、本発明に係る移動型Ｘ線撮影装置およびボックスの実施の形態について、図面を参照しながら説明する。
【００１３】
［移動型Ｘ線撮影装置の構成等について］
図１は、本実施形態に係る移動型Ｘ線撮影装置の外観を示す斜視図である。なお、以下では、移動型Ｘ線撮影装置１の支柱５が設けられた側を移動型Ｘ線撮影装置１の前側や前方等、ハンドルバー８が設けられた側を移動型Ｘ線撮影装置１の後ろ側や後方、背面等として説明する。
【００１４】
本実施形態では、図１に示すように、移動型Ｘ線撮影装置１の本体部２の下方前側に前輪３が、下方後ろ側に後輪４がそれぞれ左右２輪ずつ設けられている。前輪３は前後方向だけでなく左右方向にも向くようになっており、それにより移動型Ｘ線撮影装置１を左右方向にも移動させることができるようになっている。前輪３を１輪としてもよい。また、本実施形態では、後輪４を図示しないモーター等で回転させることで移動型Ｘ線撮影装置１が自走可能とされている。
【００１５】
移動型Ｘ線撮影装置１の本体部２前側には、支柱５が略垂直方向に立設されており、支柱５にはＸ線を照射可能なＸ線源６が昇降自在に取り付けられている。また、Ｘ線源６は、支柱５を中心として回動させることができるようになっている。そして、Ｘ線を照射する際には、Ｘ線源６を図１の状態から例えば図中の矢印方向に回動させ、その状態でＸ線を照射するようになっている。また、Ｘ線源６の下側には、Ｘ線源６から照射されるＸ線の照射野を絞るためのコリメータ６ａが取り付けられている。
【００１６】
また、移動型Ｘ線撮影装置１の本体部２の上面部には、後述するボックス２０に内蔵されたコンピューターユニット２７（後述する図３参照）に接続された表示画面７が配置されている。そして、本実施形態では、表示画面７は、タッチパネル等で形成されており、コンピューターユニット２７の入力装置にもなっている。なお、この他に、マウスやキーボード等の入力手段を備えるように構成することも可能である。
【００１７】
移動型Ｘ線撮影装置１の本体部２の後ろ側上部には、放射線技師等の操作者が移動型Ｘ線撮影装置１を動かす際などに握るハンドルバー８が設けられている。また、移動型Ｘ線撮影装置１の本体部２の背面には、可搬型のＸ線検出器Ｆ（後述する図２参照）等を保持可能なカセッテホルダー９が設けられており、撮影に使用するＸ線検出器Ｆ等をカセッテホルダー９に挿入することで、移動型Ｘ線撮影装置１の搬送とともにＸ線検出器Ｆ等も搬送することができるようになっている。
【００１８】
本実施形態では、カセッテホルダー９は、後述するボックス２０に内蔵されているインターフェースユニット２６（後述する図３参照）から延設されボックス２０外に引き出されたケーブルＣａやその先端に取り付けられたコネクターＣｏ（図１では図示省略。後述する図２参照）を収容することができるようになっている。なお、コネクターＣｏをカセッテホルダー９から取り出し、図２に示すように、コネクターＣｏをＸ線検出器ＦのコネクターＣｆに接続することで、Ｘ線検出器Ｆとインターフェースユニット２６とがケーブルＣａを介して接続されるようになっている。
【００１９】
そして、本実施形態では、カセッテホルダー９を本体部２から取り外したり左右方向に退避させる等した状態で、ボックス２０を、移動型Ｘ線撮影装置１の本体部２から取り外したり、本体部２に装填することができるようになっており、ボックス２０が移動型Ｘ線撮影装置１の本体部２に対して着脱可能とされている。
【００２０】
このように、ボックス２０を移動型Ｘ線撮影装置１の本体部２に着脱可能とすることで、ボックス２０を本体部２から取り外した状態で、ボックス２０に内蔵された後述するインターフェースユニット２６やコンピューターユニット２７等のメンテナンスや修理、交換等を行うことが可能となり、ボックス２０が本体部２と一体的に構成されている場合に比べて、それらの作業が行い易くなる等のメリットがある。なお、ボックス２０を本体部２と一体的に構成する（すなわちボックス２０を本体部２から取り外すことができないように構成する）ことも可能である。
【００２１】
また、本実施形態では、ボックス２０を本体部２に装填した図１の状態では、ボックス２０の背面と本体部２の背面とが略面一の状態になるように構成されている。また、ボックス２０に内蔵されている後述するアクセスポイント２８のアンテナ２９が、図１に示すようにボックス２０の背面外側に露出するように配置されている。
【００２２】
なお、図１では図示を省略したが、アンテナ２９や、ボックス２０の背面上部に設けられた後述する吸気口２１等を、例えばプラスチック等の網状のカバーで覆う等して保護するように構成することも可能である。また、図１では、ボックス２０の背面下部に設けられた後述する排気口２２が、外部から見えるように構成された状態が示されているが、例えば放射線技師の足等が排気口２２にぶつからないように保護するために排気口２２の外側にも網状のカバーを設けたり、或いは、排気口２２から排気された空気の流路を下方（すなわち床面側）に変えるための板状のカバー等を設けるように構成することも可能である。
【００２３】
また、図１では図示を省略したが、移動型Ｘ線撮影装置１の本体部２内には、Ｘ線源に供給する高電圧を発生させるＸ線発生装置の電圧発生部や、後輪４を回転駆動するためのモーター等が設けられている。また、本体部２には、Ｘ線発生装置に対して管電流や管電圧、照射時間等を設定するためのパネルやスイッチや、上記のモーターを駆動させたり停止させたりするための操作部等が設けられている。
【００２４】
［ボックスの構成等について］
次に、本実施形態に係る移動型Ｘ線撮影装置１のボックス２０の構成等について説明する。図３は、ボックス２０の構成を説明するためにボックス２０の一方の側面部を仮想的に取り外した状態を表す図である。
【００２５】
本実施形態では、ボックス２０は、中空の直方体状に形成されており、各面はそれぞれ金属板で形成されている。なお、例えば、ボックス２０の各面を金属板よりも熱を伝えにくいプラスチック等の材質で形成したり、ボックス２０の各面にそれぞれ断熱材を取り付けるなど、ボックス２０の外部から内部に熱が伝わりにくくための構成を適宜採用することも可能である。
【００２６】
前述したように、ボックス２０の背面上部には吸気口２１が設けられ、ボックス２０の背面下部には排気口２２が設けられており、ボックス２０は吸気口２１と排気口２２以外は密閉状態とされている。そして、吸気口２１の内部には防塵フィルター２３が取り付けられており、排気口２４の内部には、ボックス２０内の空気を排気するための排気ファン２４が取り付けられている。防塵フィルター２３や排気ファン２４を、ボックス２０の壁面の外側に取り付けるように構成することも可能である。
【００２７】
本実施形態では、ボックス２０は、ボックス内部を上部空間Ａと下部空間Ｂに仕切る仕切り板２５を備えている。そして、ボックス２０内には、少なくとも、Ｘ線検出器Ｆ（図２参照）とＸ線発生装置との間で信号の送受信を行うためのインターフェースユニット２６と、Ｘ線検出器Ｆを用いた撮影を制御するコンピューターユニット２７とが内蔵されている。なお、図３中の２５ａ、２５ｂやＡ〜Ｄ等については後で説明する。
【００２８】
また、前述した移動型Ｘ線撮影装置の電圧発生部やモーター等が、図３に示すボックス２０の外側周囲のα〜γの位置に配置される場合があるが、ボックス２０は、これらの位置に配置される電圧発生部やモーター等とは分離されている。すなわち、移動型Ｘ線撮影装置１の電圧発生部やモーター等がボックス２０の外側に配置され、一方で、インターフェースユニット２６やコンピューターユニット２７等をボックス２０内に配置するように構成することで、インターフェースユニット２６やコンピューターユニット２７等が配置されたボックス２０の内部空間を、電圧発生部やモーター等が配置された外部空間から隔離するようになっている。
【００２９】
本実施形態では、インターフェースユニット２６は仕切り板２５の上側に配置されている、そして、前述したように、インターフェースユニット２６にはケーブルＣａが接続されており、ケーブルＣａはボックス２０外に引き出されて、カセッテホルダー９に収容されたり（図１参照）、先端のコネクターＣｏがＸ線検出器ＦのコネクターＣｆに接続されたりするようになっている（図２参照）。そして、インターフェースユニット２６は、Ｘ線検出器Ｆ（或いはコンピューターユニット２７）からＸ線発生装置に送信するＬＡＮ（Local Area Network）通信用の信号等を放射線発生装置用の信号等に変換し、また、その逆の変換を行う図示しない変換器が内蔵されている。
【００３０】
また、本実施形態では、インターフェースユニット２６には、Ｘ線検出器Ｆの図示しない内蔵電源を充電するための充電ユニット２６ａ等が内蔵されているが、充電ユニット２６ａ等をインターフェースユニット２６とは別体に設けることも可能である。
【００３１】
一方、本実施形態では、コンピューターユニット２７は仕切り板２５の下側に配置されている。コンピューターユニット２７はいわゆるコンソールとして機能するものであり、例えば、Ｘ線検出器Ｆのモードを撮影可能（wake up）モードとスリープモード（sleep）モードとの間で切り替えたり、図示しないＨＩＳ（Hospital Information System；病院情報システム）やＲＩＳ（Radiology Information System；放射線科情報システム）等の外部システムから撮影オーダー情報等の必要な情報やデータ等を入手したり、或いはＸ線検出器Ｆで生成された画像データ等に基づいてＸ線画像を生成する等の処理を行って、Ｘ線検出器Ｆを用いた撮影を制御するようになっている。
【００３２】
なお、前述したように、コンピューターユニット２７は、移動型Ｘ線撮影装置１の本体部２の上面部に配置された表示画面７（図１参照）に接続されている。また、本実施形態では、上記のように、コンピューターユニット２７をコンソールとして機能させる場合が想定されているが、例えば、コンピューターユニット２７がコンソール以外の機能を有するように構成することも可能である。
【００３３】
本実施形態では、ボックス２０内には、この他、例えば、Ｘ線検出器Ｆとコンピューターユニット２６との間の無線通信を可能とするアクセスポイント２８が設けられている。アクセスポイント２８は、仕切り板２５の下面に取り付けられ、或いはコンピューターユニット２７の上方に配置されている。そして、アクセスポイント２８のアンテナ２９が金属板等で形成されたボックス２０の壁面内に設けられると、ボックス２０外のＸ線検出器Ｆからの無線通信をアンテナ２９で受信することができなくなるため、本実施形態では、アクセスポイント２８のアンテナ２９が、ボックス２０の背面外側に露出するように配置されている。
【００３４】
なお、本実施形態では、Ｘ線検出器Ｆとコンピューターユニット２７との間の通信は、アクセスポイント２８を介した無線通信で行うことが想定されている。そして、Ｘ線検出器Ｆがアクセスポイント２８と無線通信を行う際に必要になるＳＳＩＤ等の情報は、例えば図２に示したようにＸ線検出器ＦにケーブルＣａを接続した際にインターフェースユニット２６からＸ線検出器Ｆに送信するように構成することが可能である。
【００３５】
しかし、Ｘ線検出器Ｆとコンピューターユニット２７とを、ケーブルＣａで直接接続したり、インターフェース２５を介して接続する等して、それらの間の通信を有線通信で行うように構成することも可能であり、Ｘ線検出器Ｆとコンピューターユニット２７との間の通信の仕方は特定の仕方に限定されない。
【００３６】
また、本実施形態では、上記のように、Ｘ線検出器Ｆと、移動型Ｘ線撮影装置に搭載されたＸ線発生装置とを、ケーブルＣａやインターフェースユニット２６等を介して接続し、Ｘ線検出器ＦとＸ線発生装置との間で有線通信を行い、Ｘ線検出器ＦとＸ線発生装置とが同期をとりながらＸ線源６（図１参照）からＸ線を照射させて撮影を行う場合が想定されている。
【００３７】
しかし、この他にも、例えば、Ｘ線検出器ＦとＸ線発生装置との間の通信を、アクセスポイント２８やインターフェースユニット２６等を介した無線通信で行うように構成することも可能である。また、撮影の際に、Ｘ線検出器ＦとＸ線発生装置との間で通信を行わず、Ｘ線検出器Ｆが、Ｘ線源６からＸ線が照射されたことを自ら検知して撮影を行うように構成することも可能であり、Ｘ線検出器ＦとＸ線発生装置との間の通信の有無や通信の仕方は、特定の場合に限定されない。
【００３８】
さらに、本実施形態では、ボックス２０内に、少なくともインターフェースユニット２６とコンピューターユニット２７、或いはそれらとアクセスポイント２８とが内蔵されている場合について説明するが、他の電子機器等を内蔵するように構成することも可能である。
【００３９】
［作用等］
次に、本実施形態に係る移動型Ｘ線撮影装置１やボックス２０の作用について説明する。また、ボックス２０内の温度上昇を抑制するための構成等についてもあわせて説明する。
【００４０】
本実施形態では、上記のように、一方で、移動型Ｘ線撮影装置１に搭載されるインターフェースユニット２６やコンピューターユニット２７等の高温環境に適さないデバイスをボックス２０内に内蔵させ、他方で、高温になるＸ線発生装置の電圧発生部やモーター等をボックス２０から分離させてボックス２０外に配置する。このようにして、インターフェースユニット２６やコンピューターユニット２７等が配置されたボックス２０の内部空間を、電圧発生部やモーター等が配置された外部空間から隔離する。
【００４１】
そして、この状態で、ボックス２０の上部に設けられた吸気口２１から外部の空気を吸い込み、ボックス２０の下部に取り付けられた排気ファン２４を駆動させてボックス２０内の空気を排気口２２から排気することで、図３中に矢印で示すように、ボックス２０の内部に上側から下側に向かう空気の流れが形成される。
【００４２】
そのため、ボックス２０外の電圧発生部等の熱がボックス２０内に伝わってボックス２０内部の空気が熱せられたとしても、上記のボックス２０内の空気の流れで温められた空気は排気口２２から強制的に排気され、より低温の空気（すなわち室温の空気）が吸気口２１からボックス２０内部に取り込まれる。
【００４３】
そのため、このように構成することで、ボックス２０外に高温になる電圧発生部等が配置されているとしても、ボックス２０内の温度が過度に上昇することを的確に抑制することが可能となり、インターフェースユニット２６やコンピューターユニット２７等の高温環境に適さないデバイスを、電圧発生部等の発熱源の熱による温度上昇から守り、適切な温度環境下で動作させることが可能となる。
【００４４】
［効果］
以上のように、本実施形態に係る移動型Ｘ線撮影装置１やボックス２０によれば、ボックス２０内に、移動型Ｘ線撮影装置１に搭載されるインターフェースユニット２６やコンピューターユニット２７等の高温環境に適さないデバイスを内蔵させるとともに、高温になるＸ線発生装置の電圧発生部やモーター等をボックス２０から分離させてボックス２０外に配置し、インターフェースユニット２６やコンピューターユニット２７等が配置されたボックス２０の内部空間を、電圧発生部やモーター等が配置された外部空間から隔離する。そして、その状態で、排気ファン２４を駆動させてボックス２０内で上側から下側に向かう空気の流れを形成し、ボックス２０内の温められた空気を排気口２２から強制的に排気し、より低温の空気を吸気口２１からボックス２０内部に取り込む。
【００４５】
そのため、ボックス２０外に高温になる電圧発生部等が配置されているとしても、ボックス２０内の温度が過度に上昇することを的確に抑制することが可能となり、インターフェースユニット２６やコンピューターユニット２７等の高温環境に適さないデバイスを、電圧発生部等の発熱源の熱による温度上昇から守り、適切な温度環境下で動作させることが可能となる。そのため、移動型Ｘ線撮影装置１を適切に動作させることが可能となり、移動型Ｘ線撮影装置１を病室や患者の自宅等に持ち込む場合でも、撮影を的確に行うことが可能となる。
【００４６】
また、本実施形態のように、ボックス２０を、吸気口２１と排気口２２以外は密閉された状態となるように構成することで、吸気口２１と排気口２２以外の場所でもボックス２０内外への空気の流通ができるように構成されている場合に比べて、ボックス２０内の空気の流れを安定させることが可能となる。そのため、上記の効果を的確にかつ安定して発揮させることが可能となる。
【００４７】
また、図３に示したように、比較的重量が重いコンピューターユニット２７をボックス２０内の下部に配置すれば、コンピューターユニット２７をボックス２０内の上部に配置する場合に比べてボックス２０や移動型Ｘ線撮影装置１の重心が安定するため好ましい。また、このようにボックス２０や移動型Ｘ線撮影装置１の重心が安定することで、コンピューターユニット２７に振動等が生じることを抑制することが可能となり、コンピューターユニット２７が振動で誤作動する等の問題が発生することを的確に防止することが可能となる。なお、コンピューターユニット２７の耐振性をより向上させるために、コンピューターユニット２７の下方に図示しない防振部材を介在させるようにしてボックス２０内に配置するように構成することも可能である。
【００４８】
また、通常の場合、コンピューターユニット２７を作動させるとコンピューターユニット２７が発熱し、コンピューターユニット２７から温風がボックス２０内に排出されるため、ボックス２０内のコンピューターユニット２７付近の温度が上昇する。その際、例えば図３に示した構成とは反対に、下側に設けた吸気口からボックス２０内に空気を取り込み、上側に設けた排気口からボックス２０内の空気を排気するように構成すると、ボックス２０の内部に下側から上側に向かう空気の流れが形成される。
【００４９】
そして、上記のように、コンピューターユニット２７をボックス２０内の下部に配置するように構成すると、コンピューターユニット２７から排出された温風がボックス２０内の空気の流れに乗って上側に流れ、ボックス２０内の上部に配置されたインターフェースユニット２６等が温められてしまう状態になる。
【００５０】
それに対し、図３に示した本実施形態のように、上側に設けた吸気口２１からボックス２０内に空気を取り込み、下側に設けた排気口２２からボックス２０内の空気を排気するように構成し、ボックス２０の内部に上側から下側に向かう空気の流れ（図３中の矢印参照）を形成すると、ボックス２０内の下部に配置されたコンピューターユニット２７から排出された温風は、ボックス２０内で上昇することなく、ボックス２０内の空気の流れに乗って下側の排気口２２から排気される。そのため、ボックス２０内の上部に配置されたインターフェースユニット２６等が温められてしまうことを的確に防止することが可能となる。
【００５１】
また、吸気口をボックス２０の下側に設けると、吸気の際に、病室等の床面上のごみや埃等を吸い込まないようにするために、比較的高性能の防塵フィルターを吸気口に取り付けることが必要になる。しかし、図３に示した本実施形態のように、吸気口２１をボックス２０の上側に設ける場合、吸気の際に、空気中に漂う埃等を吸い込まないようにすればよい。そのため、吸気口２１に取り付ける防塵フィルター２３として高性能の防塵フィルターを用いる必要はなく、比較的簡易なものを用いることが可能となる。
【００５２】
また、図３に示した本実施形態にように、排気口２２をボックス２０の下側に設けることで、排気口をボックス２０の上側に設ける場合に比べて、排気口２２に取り付ける排気ファン２４の位置が、移動型Ｘ線撮影装置１の近傍に立つ放射線技師等の操作者の耳から遠ざかる状態になる。そのため、放射線技師等の操作者に聞こえる排気ファン２４の回転音が小さくなり、静音化を図ることが可能となる。
【００５３】
また、排気口をボックス２０の上側に設けると、すなわち例えば図１に示した２１（本実施形態では吸気口）の位置に排気口が設けられているとすると、カセッテホルダー９に挿入されたＸ線検出器Ｆ（図３では図示省略）の上側に排気口から排気された温かい空気が当たり、Ｘ線検出器Ｆの温度が上昇してしまう。また、カセッテホルダー９に挿入されたＸ線検出器Ｆの下側の部分には温かい排気が当たらないため、Ｘ線検出器Ｆの上側の部分では温度が上昇し、下側の部分の温度では温度が上昇せず、Ｘ線検出器Ｆの温度が各部分で不均一になる虞れがある。
【００５４】
Ｘ線検出器Ｆの温度が上がり過ぎるとＸ線検出器Ｆに誤作動等が生じるようになり好ましくなく、また、Ｘ線検出器Ｆの温度が各部分で不均一になると、Ｘ線検出器Ｆで生成された画像データやそれに基づいて生成されるＸ線画像に画像ムラが生じる等して画質が低下してしまう。
【００５５】
それに対し、図３に示した本実施形態のように、排気口２２をボックス２０の下側に設けることで、排気口２２から排気された温かい空気がカセッテホルダー９に挿入されたＸ線検出器Ｆに当たることなく排気されるため、上記のような問題が生じることを的確に防止することが可能となり、Ｘ線検出器Ｆで生成される画像データやそれに基づいて生成されるＸ線画像の画質が低下することを的確に防止することが可能となる。
【００５６】
［仕切り板の構成等について］
また、図３に示したように、ボックス２０内に、ボックス２０内部を上部空間Ａおよび下部空間Ｂに仕切る仕切り板２５を設けるように構成することで、前述したボックス２０内での空気の流れをより安定させて、ボックス２０内の熱をより的確に排気することが可能となる。以下、そのための具体的な構成等について説明する。
【００５７】
本実施形態では、仕切り板２５は、吸気口２１から流入した空気が上部空間Ａから下部空間Ｂに流通することができるようにするために、空気の流路として開口２５ａ、２５ｂが設けられている。
【００５８】
ボックス２０自体の構造やボックス２０内の各デバイスの配置等にもよるが、ボックス２０内部の奥側の空間Ｃ（図３参照）、すなわちボックス２０内部の、吸気口２１等から最も離れた側（ボックス２０を移動型Ｘ線撮影装置１に装填した場合には最も前側）の空間Ｃに空気の流れを形成しないと、空間Ｃの空気を排気することができなくなり、空間Ｃに温かい（或いは熱い）空気が滞留する。そのため、ボックス２０内の温度が上昇してしまい、インターフェースユニット２６やコンピューターユニット２７等の高温環境に適さないデバイスが高温の雰囲気下に置かれる状況になってしまう虞れがある。
【００５９】
そこで、本実施形態では、少なくとも、仕切り板２５の、吸気口２１から最も離れた部分に開口２５ａを形成して、吸気口２１から流入した空気の上部空間Ａから下部空間Ｂへの流通を可能とする流路が設けるようになっている。このように構成することで、ボックス２０内部の、吸気口２１等から最も離れた側の空間Ｃに空気の流れを形成することが可能となり、空間Ｃに温かい（或いは熱い）空気が滞留することを的確に防止して、ボックス２０内の温度上昇を的確に抑制することが可能となる。
【００６０】
また、上記のように、仕切り板２５の、吸気口２１から最も離れた部分にだけ開口２５ａを形成すると、今度は、ボックス２０内部のより手前側の空間Ｄ（図３参照）、すなわちボックス２０内部の、吸気口２１等から最も離れた部分（すなわち空間Ｃ）よりも吸気口２１に近い空間（ボックス２０を移動型Ｘ線撮影装置１に装填した場合には最も後ろ側）の空間Ｄの空気を排気することができなくなり、空間Ｄに、コンピューターユニット２７から排出された温風等の温かい（或いは熱い）空気が滞留する。そのため、この場合も、ボックス２０内の温度が上昇してしまい、インターフェースユニット２６やコンピューターユニット２７等の高温環境に適さないデバイスが高温の雰囲気下に置かれる状況になってしまう虞れがある。
【００６１】
そこで、本実施形態では、仕切り板２５の、吸気口２１から最も離れた部分より吸気口２１に近い部分にも開口２５ｂを形成して、吸気口２１から流入した空気の上部空間Ａから下部空間Ｂへの流通を可能とする流路が設けるようになっている。このように構成することで、図３に矢印で示したように、ボックス２０内部のより手前側の空間Ｄにも空気の流れを形成することが可能となり、空間Ｄに温かい（或いは熱い）空気が滞留することを的確に防止して、ボックス２０内の温度上昇を的確に抑制することが可能となる。
【００６２】
なお、開口２５ａ、２５ｂは、例えば網状に形成することも可能であり、或いは円形等の所定の形状に形成することも可能である。また、例えば仕切り板２５に互いに同じ面積だけ開口するように開口２５ａ、２５ｂを設けると、吸気口２１に近い開口２５ｂを流通する空気の量が開口２５ａを流通する空気の量よりも多くなり、ボックス２０内部の奥側の空間Ｃでの空気の流れが悪くなる場合がある。
【００６３】
そこで、そのような場合には、開口２５ａを流通する空気の量と開口２５ｂを流通する空気の量とが同程度になるように、開口２５ａや開口２５ｂの面積を変えたり或いは開口の数を変える等して開口２５ａ、２５ｂの流路面積をそれぞれ調整することが望ましい。
【００６４】
以上のように構成することで、ボックス２０内部を上部空間Ａおよび下部空間Ｂに仕切る仕切り板２５に開口２５ａ、２５ｂを設けるように構成することで、ボックス２０内での空気の流れをより安定させて、ボックス２０内の熱をより的確に排気することが可能となる。また、上記のように開口２５ａ、２５ｂの流路面積を的確に調整することで、開口２５ａを流通する空気の量と開口２５ｂを流通する空気の量とが同程度になり、ボックス２０内の熱を効率良く排気することが可能となる。
【００６５】
なお、本発明が上記の各実施形態等に限定されず、本発明の趣旨を逸脱しない限り、適宜変更可能であることは言うまでもない。
【００６６】
例えば、上記の実施形態では、ボックス２０内に仕切り板２５を設け、仕切り板２５に開口２５ａ、２５ｂを設ける場合について説明したが、仕切り板２５を設けなくても、上記の本発明の有益な作用効果を奏することが可能である場合には、必ずしもボックス２０内に仕切り板２５を設ける必要はない。そして、このように仕切り板２５を設けない場合にも本発明を適用することが可能である。
【符号の説明】
【００６７】
１  移動型Ｘ線撮影装置
２  本体部（装置本体部）
６  Ｘ線源を備える移動型Ｘ線撮影装置において、
２０  ボックス
２１  吸気口
２２  排気口
２４  排気ファン
２５  仕切り板
２５ａ、２５ｂ  開口（流路）
２６  インターフェースユニット
２６ａ  充電ユニット
２７  コンピューターユニット
２８  アクセスポイント
Ａ  上部空間
Ｂ  下部空間
Ｆ  Ｘ線検出器
【図１】
0006476879.tif 000002
【図２】
0006476879.tif 000003
【図３】
0006476879.tif 000004